【手続補正書】
【提出日】平成17年5月23日(2005.5.23)
【手続補正１】
【補正対象書類名】明細書
【補正対象項目名】発明の名称
【補正方法】変更
【補正の内容】
【発明の名称】マルチスライス放射線ＣＴ装置
【手続補正２】
【補正対象書類名】明細書
【補正対象項目名】特許請求の範囲
【補正方法】変更
【補正の内容】
【特許請求の範囲】
【請求項１】
被検体に放射線を照射する複数の放射線源と、前記被検体を挟み前記放射線源と対向配置され、かつ前記被検体の体軸方向に複数列配置され前記被検体の透過放射線を検出するマルチスライス型検出器と、前記複数の放射線源とマルチスライス型検出器とを前記被検体の周囲を回転させる回転駆動部と、この回転駆動部によって回転された前記複数の放射線源とマルチスライス型検出器により前記被検体の投影データを計測する計測手段と、この計測手段の出力から前記被検体の三次元断層撮影像を再構成する画像再構成部と、この画像再構成部によって再構成された三次元断層撮影像を表示する画像表示部と、を備えたマルチスライス放射線ＣＴ装置において、前記各放射線源は、前記マルチスライス型検出器の所望の列のみに前記被検体の透過放射線が到達するように放射線を制限するスライスコリメータ手段を備えたことを特徴とするマルチスライス放射線ＣＴ装置。
【請求項２】
前記スライスコリメータ手段は、前記マルチスライス型検出器の列数を制限することを特徴とする請求項１に記載のマルチスライス放射線ＣＴ装置。
【請求項３】
前記被検体の心拍データを計測する心電計をさらに備え、前記計測手段は、前記心電計によって得られた前記被検体の心拍数とその心電測定時に設定されたスキャン周期と前記マルチスライス型検出器の列数から心時相が同じ分割投影データを収集し、前記画像再構成部は、所望の時間間隔の前記心時相における前記被検体の心臓の三次元断層撮影像を再構成し、前記画像表示部は前記再構成された心臓の三次元断層撮影像を前記心時相の順番で表示することを特徴とする請求項１又は２の何れか一項に記載のマルチスライス放射線ＣＴ装置。
【請求項４】
前記複数の放射線源と前記複数のマルチスライス型検出器の計測パラメータを設定する設定手段と、被検体テーブルを前記被検体の体軸方向に駆動する被検体テーブル駆動部とをさらに備え、前記計測手段は、前記設定手段によって設定された計測パラメータに基づいてらせん走査撮影することを特徴とする請求項１乃至３の何れか一項に記載のマルチスライス放射線ＣＴ装置。
【請求項５】
前記画像再構成部は、前記複数のマルチスライス型検出器のうちの第１のマルチスライス型検出器を用いて前記計測手段によって計測された第１の投影データを、前記第１のマルチスライス型検出器と異なる第２のマルチスライス型検出器の第２の投影データとして用いて前記被検体の三次元断層撮影像を再構成することを特徴とする請求項１乃至４の何れか一項に記載のマルチスライス放射線ＣＴ装置。
【手続補正３】
【補正対象書類名】明細書
【補正対象項目名】０００１
【補正方法】変更
【補正の内容】
【０００１】
本発明は、被検体の断層像画像を取得するＸ線ＣＴ（Ｃｏｍｐｕｔｅｄ  Ｔｏｍｏｇｒａｐｈｙ）装置等のマルチスライス放射線ＣＴ装置に関するものである。
【手続補正４】
【補正対象書類名】明細書
【補正対象項目名】００３３
【補正方法】変更
【補正の内容】
【００３３】
以上、説明したように、本発明で解決しようとする課題は、多管球ＭＤＣＴにおいて、放射線の使用効率を低下させることなく、高速で、高密度、高分解能な投影データを取得するマルチスライス放射線ＣＴ装置を提供することを目的とする。
【手続補正５】
【補正対象書類名】明細書
【補正対象項目名】００３４
【補正方法】変更
【補正の内容】
【００３４】
また、広いコーン角（周回軸方向の放射線ビーム広がり角度）による計測を行わずに、らせんスキャンの時間分解能を向上することで、高画質化を達成する。そして、心臓の拍動によるモーションアーチファクトの少ない心臓の断層像を得るマルチスライス放射線ＣＴ装置を提供することを目的とする。
【手続補正６】
【補正対象書類名】明細書
【補正対象項目名】００３５
【補正方法】変更
【補正の内容】
【００３５】
【課題を解決するための手段】
前記の目的を実現するために、本発明においては、特許請求の範囲に記載するように構成している。すなわち、本発明は、請求項１に記載のように、
被検体に放射線を照射する複数の放射線源と、前記被検体を挟み前記放射線源と対向配置され、かつ前記被検体の体軸方向に複数列配置され前記被検体の透過放射線を検出するマルチスライス型検出器と、前記複数の放射線源とマルチスライス型検出器とを前記被検体の周囲を回転させる回転駆動部と、この回転駆動部によって回転された前記複数の放射線源とマルチスライス型検出器により前記被検体の投影データを計測する計測手段と、この計測手段の出力から前記被検体の三次元断層撮影像を再構成する画像再構成部と、この画像再構成部によって再構成された三次元断層撮影像を表示する画像表示部と、を備えたマルチスライス放射線ＣＴ装置において、前記各放射線源は、前記マルチスライス型検出器の所望の列のみに前記被検体の透過放射線が到達するように放射線を制限するスライスコリメータ手段を備えたことを特徴とするマルチスライス放射線ＣＴ装置を構成する。
【手続補正７】
【補正対象書類名】明細書
【補正対象項目名】００３６
【補正方法】変更
【補正の内容】
【００３６】
また、本発明は、請求項２に記載のように、
請求項１に記載のマルチスライス放射線ＣＴ装置において、前記スライスコリメータ手段は、前記マルチスライス型検出器の列数を制限することを特徴とするマルチスライス放射線ＣＴ装置を構成する。
【手続補正８】
【補正対象書類名】明細書
【補正対象項目名】００３７
【補正方法】変更
【補正の内容】
【００３７】
また、本発明は、請求項３に記載のように、
請求項１又は２の何れか一項に記載のマルチスライス放射線ＣＴ装置において、前記被検体の心拍データを計測する心電計をさらに備え、前記計測手段は、前記心電計によって得られた前記被検体の心拍数とその心電測定時に設定されたスキャン周期と前記マルチスライス型検出器の列数から心時相が同じ分割投影データを収集し、前記画像再構成部は、所望の時間間隔の前記心時相における前記被検体の心臓の三次元断層撮影像を再構成し、前記画像表示部は前記再構成された心臓の三次元断層撮影像を前記心時相の順番で表示することを特徴とするマルチスライス放射線ＣＴ装置を構成する。
【手続補正９】
【補正対象書類名】明細書
【補正対象項目名】００３８
【補正方法】変更
【補正の内容】
【００３８】
また、本発明は、請求項４に記載のように、
請求項１乃至３の何れか一項に記載のマルチスライス放射線ＣＴ装置において、前記複数の放射線源と前記複数のマルチスライス型検出器の計測パラメータを設定する設定手段と、被検体テーブルを前記被検体の体軸方向に駆動する被検体テーブル駆動部とをさらに備え、前記計測手段は、前記設定手段によって設定された計測パラメータに基づいてらせん走査撮影することを特徴とするマルチスライス放射線ＣＴ装置を構成する。
【手続補正１０】
【補正対象書類名】明細書
【補正対象項目名】００３９
【補正方法】変更
【補正の内容】
【００３９】
また、本発明は、請求項５に記載のように、
請求項１乃至４の何れか一項に記載のマルチスライス放射線ＣＴ装置において、前記画像再構成部は、前記複数のマルチスライス型検出器のうちの第１のマルチスライス型検出器を用いて前記計測手段によって計測された第１の投影データを、前記第１のマルチスライス型検出器と異なる第２のマルチスライス型検出器の第２の投影データとして用いて前記被検体の三次元断層撮影像を再構成することを特徴とするマルチスライス放射線ＣＴ装置を構成する。
【手続補正１１】
【補正対象書類名】明細書
【補正対象項目名】００４０
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】０１４５
【補正方法】変更
【補正の内容】
【０１４５】
【発明の効果】
本発明の実施によって得られる効果を説明する。
【手続補正１４】
【補正対象書類名】明細書
【補正対象項目名】０１４６
【補正方法】変更
【補正の内容】
【０１４６】
まず、本発明においては、Ｘ線管とマルチスライス型検出器をセットにして、スライスコリメータを配置することで、高画質の断層像を得ることができる。
【手続補正１５】
【補正対象書類名】明細書
【補正対象項目名】０１４７
【補正方法】変更
【補正の内容】
【０１４７】
また、本発明においては、回転盤にＸ線管とマルチスライス型検出器を３対搭載し、３対は１２０゜の回転位相差を有し、撮影幾何学系の相対位置関係を保持したまま同時に回転可能にすることでマルチスライス数の増大したマルチスライス型検出器を搭載することなく、実質的に列数を３倍増大したのと同等の、らせんスキャンピッチを相対的に狭いコーン角の計測データのみで実現可能とし、時間分解能が高くコーン角の影響が少ない断層像を得られ高画質化が実現する。
【手続補正１６】
【補正対象書類名】明細書
【補正対象項目名】０１４８
【補正方法】変更
【補正の内容】
【０１４８】
また、本発明においては、任意の時間間隔の心時相における心臓断層像を複数作成し、得られた心臓断層像を各々の心時相ごとに体軸方向に複数集合することによって、拍動する心臓の三次元断層撮影像を，途切れなくスムーズに作成し、得られた心時相の順番に、四次元断層撮影像を得ることが可能である。
【手続補正１７】
【補正対象書類名】明細書
【補正対象項目名】０１４９
【補正方法】変更
【補正の内容】
【０１４９】
また、本発明においては、マルチスライス型検出器の周回軸方向のスライス数および、Ｘ線管とマルチスライス型検出器のオフセットを調整することで、高速で、高密度、高分解能の断層撮影像を得ることができる。
【手続補正１８】
【補正対象書類名】明細書
【補正対象項目名】０１５０
【補正方法】変更
【補正の内容】
【０１５０】
また、本発明においては、三次元断層撮影装置に、撮影により得られた投影データから、高分解能な投影データを生成する手段を具備することで、高分解能の断層撮影像を得ることができる。
【手続補正１９】
【補正対象書類名】明細書
【補正対象項目名】０１５１
【補正方法】変更
【補正の内容】
【０１５１】
また、本発明においては、Ｘ線管および、マルチスライス型検出器３１のセット毎に異なるマルチスライス型検出器素子が、配列されたマルチスライス型検出器３１によって、誤差がない高精度でかつ、高分解能の断層撮影像を得ることができることは明らかである。
【手続補正２０】
【補正対象書類名】明細書
【補正対象項目名】０１５２
【補正方法】変更
【補正の内容】
【０１５２】
また、本発明においては、被検体の心拍数とマルチスライスＸ線ＣＴ装置のスキャン周期と検出器列数から、心時相の等しい分割投影データを収集することによって、モーションアーチファクトが少ない、投影データを形成することが可能である。